(57)【特許請求の範囲】
【請求項１】
パンティ部とレッグ部とを有するインナーボトムであって、
該パンティ部は、
縦方向の伸びが横方向の伸びよりも大きく最も強い緊迫力を有する腹部中央部分と、
該腹部中央部分の両側にあり、該腹部中央部分よりも少なくとも縦方向の伸びが大きく中程度の緊迫力を有する腹部両側部分と、
該腹部両側部分よりも弱い緊迫力を有し、縦方向の伸びが横方向の伸びよりも大きく、臀部の丸み形状を保持するように臀部中央部位に膨らみを有する臀部中央部分と、
該臀部中央部分を取り巻くように該臀部中央部分と該腹部両側部分及びレッグ部との間に位置し、該腹部中央部分と同等の緊迫力を有する臀部周囲部分と、
該腹部中央部分下部から該臀部周囲部分に延び、最も弱い緊迫力を有し、縦方向の伸びが横方向の伸びよりも大きい股部分と、
ウェスト部分と、を備え、
該レッグ部は、
該パンティ部と境界を接し、該腹部両側部分よりも弱い緊迫力を有し、縦方向の伸びが横方向の伸びよりも大きい太もも上方部分と、
該太もも上方部分の下方にあり、該腹部両側部分と同等の緊迫力を有し、該太もも上方部分の横方向の伸びよりも大きい横方向の伸びを有し、縦方向の伸びが横方向の伸びよりも大きい太もも中間部分と、
該太もも上方部分及び該太もも中間部分の前方中央にあって上下方向に延び、該臀部中央部分と同等の緊迫力を有し、太もも部分にかかる緊迫力を逃がすための太もも前方中央部分と、
該臀部中央部分及び該太もも前方中央部分と同等の緊迫力を有する太もも下方部分と、を備える
ことを特徴とするインナーボトム。
【請求項２】
前記太もも前方中央部分は、太もも上方部分から太もも中間部分に向かって延びるにつれ、幅広となることを特徴とする請求項１のインナーボトム。
【請求項３】
前記ウェスト部分は、着用時にウェストに食い込まないほど幅広になっていることを特徴とする請求項１又は２のインナーボトム。
【請求項４】
前記臀部中央部分と前記ウェスト部分との間に、前記太もも上方部分と同等の緊迫力を有する臀部中央上方部分を設けたことを特徴とする請求項１〜３のいずれか１のインナーボトム。
【請求項５】
前記腹部中央部分及び前記臀部周囲部分はフロートリブ編みとし、前記太もも上方部分はリッチェルリブ編みとし、前記腹部両側部分及び前記太もも中間部分はタックメッシュ編みとし、前記股部分はフロートメッシュ編みとし、前記臀部中央部分、前記太もも前方中央部分及び前記太もも下方部分は平編みとしたことを特徴とする請求項１〜４のいずれか１のインナーボトム。
【発明の詳細な説明】
【０００１】
【発明の属する技術分野】
本発明は、インナーボトムに関し、特にガードル機能を付与したインナーボトムに関する。
【０００２】
【従来の技術】
女性のウェストライン、ヒップライン等を美しく補正する機能を有するインナーボトムとして、ガードル等が普及している。しかし、ガードルでは、太もも又は脚の付け根部分等のガードルの裾回り部分に過度の緊迫力がかかり、着用者に苦痛感を与え、血行障害を生じさせることが多い。また、タイトスカート等の身体にフィットするタイプの衣類を着用する際には、ガードルのラインが浮き上がって見えてしまう、等の問題もある。
【０００３】
【発明が解決しようとする課題】
そこで、本発明の目的は、上記欠点を解決するガードル機能付きインナーボトムを提供することにある。すなわち、着用者に苦痛感を与えず、血行障害等の問題を生じることなく、タイトな衣類を着用した場合にもラインが浮き上がることなく、腹部及び太もも部分に適度な締め付けを与え、臀部の丸みをつぶさないようなガードル機能を付与したインナーボトムを提供することにある。
【０００４】
【課題を解決するための手段】
本発明によれば、パンティ部とレッグ部とを有するインナーボトムであって、該パンティ部は、縦方向の伸びが横方向の伸びよりも大きく最も強い緊迫力を有する腹部中央部分と、該腹部中央部分の両側にあり、該腹部中央部分よりも少なくとも縦方向の伸びが大きく中程度の緊迫力を有する腹部両側部分と、該腹部両側部分よりも弱い緊迫力を有し、縦方向の伸びが横方向の伸びよりも大きく、臀部の丸み形状を保持するように臀部中央部位に膨らみを有する臀部中央部分と、該臀部中央部分を取り巻くように該臀部中央部分と該腹部両側部分及びレッグ部との間に位置し、該腹部中央部分と同等の緊迫力を有する臀部周囲部分と、該腹部中央部分下部から該臀部周囲部分に延び、最も弱い緊迫力を有し、縦方向の伸びが横方向の伸びよりも大きい股部分と、ウェスト部分と、を備え、該レッグ部は、該パンティ部と境界を接し、該腹部両側部分よりも弱い緊迫力を有し、縦方向の伸びが横方向の伸びよりも大きい太もも上方部分と、該太もも上方部分の下方にあり、該腹部両側部分と同等の緊迫力を有し、該太もも上方部分の横方向の伸びよりも大きい横方向の伸びを有し、縦方向の伸びが横方向の伸びよりも大きい太もも中間部分と、該太もも上方部分及び該太もも中間部分の前方中央にあって上下方向に延び、該臀部中央部分と同等の緊迫力を有し、太もも部分にかかる緊迫力を逃がすための太もも前方中央部分と、該臀部中央部分及び該太もも前方中央部分と同等の緊迫力を有する太もも下方部分と、を備えることを特徴とするインナーボトムが提供される。
【０００５】
上記インナーボトムにおいては、腹部中央部分の緊迫力が最も強く、臀部中央部分の緊迫力が弱く、臀部中央部位に膨らみを有するので、腹部を適度に締め付け補整し、臀部を締め付けずに丸みを帯びた形状を保持することができ、従来のガードルのように全体を過度に締め付けることがない。さらに、臀部中央部分を取り巻くように腹部中央部分と同等の強い緊迫力を有する臀部周囲部分を設けたので、臀部の垂れ下がりを補整してヒップアップ効果を得る。
【０００６】
また、腹部中央部分の緊迫力よりも弱く臀部中央部分の緊迫力よりも強い中程度の緊迫力を有する太もも上方部分と、該太もも上方部分の緊迫力よりもやや強い腹部両側部分と同等の緊迫力を有する太もも中間部分と、を設けることで、上方から下方にかけて細くなる太もも形状に適した締め付けを付与することができ、太もも部分のずり上がりを防止することができる。さらに、太もも上方部分及び中間部分の両者にわたり上下方向に延びる緊迫力の弱い太もも前方中央部分を設けて、太もも部分にかかる緊迫力を逃がすような構成としたことで、過度の締め付けを防止し、従来のように血行障害を引き起こす可能性を軽減することができる。
【０００７】
また、上記太もも中間部分の下部に、太もも下方部分を設けたことで、従来はずり上がりを防止するために折り返していた厚みのある部分を設ける必要がない。よって、タイトなアウターを着用した場合にもインナーボトムのラインが浮き上がって見えることがなく、着用者に過度の締め付けを付与することもない。さらに、この効果を高めるために、太もも下方部分の下端部を幅広の編み込みの折り返しとすることが好ましい。
【０００８】
本発明のインナーボトムは、以上のような構成によって、各部位に応じた適度な締め付けを付与して、適正な体型補整を行い得ると同時に、過度の締め付けによる血行障害等着用時の不快感を軽減し、タイトなアウターを着用した場合にも外側にインナーボトムのラインが見えることなく、すっきりとした印象を与えることができるものである。
【０００９】
また、上記太もも前方中央部分を太もも上方部分から太もも中間部分に向かって延びるにつれ幅広とすることが好ましく、横方向の伸びが小さいすなわち緊迫力の比較的強い太もも中間部分にかかる締め付けをより多く逃がして、過度の締め付けを防止することができる。
【００１０】
また、上記インナーボトムにおいてウェスト部は幅広とすることが好ましく、従来のボトムに見られたウェストゴムのウェスト部への食い込みを防止し、着用時の不快感を軽減することができる。
【００１１】
さらに、上記臀部中央部分と上記ウェスト部分との間に太もも上方部分と同等の緊迫力すなわち腹部中央部分の緊迫力よりも小さく臀部中央部分の緊迫力よりも大きな緊迫力を有する臀部中央上方部分を設けることが好ましく、棚皺を伸ばして臀部の反りを良くすることができる。
【００１２】
【好ましい実施形態】
以下、添付図面を参照しながら、本発明をさらに詳細に説明するが、本発明はこれらに限定されるものではない。
【００１３】
図１は、本発明のインナーボトムの一実施形態を示す正面図であり、図２は同背面図である。同図において、インナーボトム全体を１で示す。
【００１４】
図１において、インナーボトム１は、着用者の腹部をサポートするに十分な緊迫力を有する腹部中央部分１１、該腹部中央部分１１の両側にあり該腹部中央部分１１に比較して縦方向の伸びが大きい腹部両側部分１２、臀部の丸み形状を保持するに十分なほど緊迫力が弱く臀部中央部位１３ａに膨らみを有する臀部中央部分１３、該臀部中央部分１３を取り巻くように該腹部両側部分１２及びレッグ部２０の間に延び該腹部中央部分１１と同等の緊迫力を有する臀部周囲部分１４、該腹部中央部分１１下部から該臀部周囲部分１４まで延び該腹部中央部分１１より弱い緊迫力を有する股部分１５、及びウェスト部分１６からなるパンティ部１０と、該パンティ部１０と接し該腹部中央部分１１よりも弱い緊迫力を有する太もも上方部分２１、該太もも上方部分２１の下方にあり該腹部両側部分１２と同等の緊迫力を有する太もも中間部分２２、該太もも上方部分２１及び該太もも中間部分２２の前方中央にて上下方向に延び該臀部中央部分１３と同等の緊迫力を有する太もも前方中央部分２３、及び該太もも中間部分２２の下部にあり該臀部中央部分１３と同等の緊迫力を有する太もも下方部分２５からなるレッグ部２０と、を備える。
【００１５】
上記パンティ部１０は、各構成部分の緊迫力の相違から体型を適正に補整するガードル機能を果たす。
【００１６】
上記腹部中央部分１１は、横方向の伸びに対して縦方向の伸びが大きく、腹部をサポートするために十分な緊迫力を有する。しかしながら本発明のインナーボトムにおいては、着用者に過度の締め付けを与えないように、極度に強い緊迫力を付与することは必要ではない。具体的には、７０ｄ（デニール、以下同じ）ウレタン糸及び１４ｄナイロン糸からなるダブルカバーリングヤーンをフロートリブ編みしてなり、横方向の伸びと縦方向の伸びとの比率は、１：１．２６程度である。
【００１７】
上記腹部両側部分１２は、着用者の腹部筋肉の動きを妨げないように、腹部中央部分１１と比較して縦方向の伸びが大きく、緊迫力を弱めにしてある。具体的には、７０ｄウレタン糸に１４ｄナイロン糸をダブルカバーリングした糸と、５０ｄ／１７ｆ（フィラメント、以下同じ）ウーリーナイロン糸をタックメッシュ編みしてなり、横方向の伸びと縦方向の伸びとの比率は、１：１．４３程度である。また、上記腹部中央部分１１の縦方向の伸びを１として、腹部両側部分１２の縦方向の伸びを比較すると、１：１．１３程度となる。
【００１８】
上記臀部中央部分１３は、臀部の丸み形状を保持するに十分なほど緊迫力が弱く、且つ臀部中央部位１３ａには臀部の丸み形状を自然に保持するため膨らみを有する。具体的には、臀部中央部位１３ａ及び臀部中央部分１３は、７０ｄウレタン糸に１４ｄナイロン糸をダブルカバーリングした糸と、５０ｄ／１７ｆウーリーナイロン糸を平編みしてなる。ただし、臀部中央部位１３ａの緊迫力が最も弱くなるように、度目を変えて形成している。横方向の伸びと縦方向の伸びとの比率は、１：１．４４程度である。腹部中央部分１１の伸びと比較すると、横方向の伸びで１：１．０６程度、縦方向の伸びで１：１．２１程度といずれも大きい。
【００１９】
上記臀部周囲部分１４は、腹部中央部分１１と同等の緊迫力を有する。これは、臀部を保持するに十分な緊迫力であり、ヒップアップ効果を高める。具体的には、上記腹部中央部分１１と同様の編み立てであり、７０ｄウレタン糸及び１４ｄナイロン糸からなるダブルカバーリングヤーンをフロートリブ編みしてなり、横方向の伸びと縦方向の伸びとの比率は、１：１．２６程度となる。
【００２０】
上記股部分１５は、着用者の股部位を締め付けることのないように最も弱い緊迫力を有する。具体的には、７０ｄウレタン糸に１４ｄナイロン糸をダブルカバーリングした糸と、５０ｄ／１７ｆウーリーナイロン糸をフロートメッシュ編みしてなり、横方向の伸びと縦方向の伸びとの比率は１：１．１８程度である。上記腹部中央部分１１の伸びを１として比較すると、横方向で１：１．３３程度、縦方向で１：１．２３程度と大きい。
【００２１】
上記ウェスト部分１６は、着用者のウェスト部位に食い込まないように、幅広形状とし、１４０ｄポリウレタン繊維糸からなるベア糸と３０ｄ／１０ｆのウーリーナイロンとをニットイン編みしてなる。
【００２２】
該ウェスト部分１６と臀部中央部分１３との間に、臀部の反りを良くして棚皺を逃がすため、中程度の緊迫力を有する臀部中央上方部分１７を設けることが好ましい。該臀部中央上方部分１７は、具体的には、７０ｄウレタン糸に１４ｄナイロン糸をダブルカバーリングした糸と、５０ｄ／１７ｆウーリーナイロン糸をリッチェルリブ編みしてなり、横方向の伸びと縦方向の伸びとの比率は、１：１．３程度である。
【００２３】
また、上記レッグ部２０は、太ももに適度な締め付けを与え、且つアウターにインナーボトムのラインが浮き上がらないように構成されている。
【００２４】
上記太もも上方部分２１は、上記腹部両側部分１２の緊迫力よりも弱く上記臀部中央部分１３の緊迫力よりも強い中程度の緊迫力を有し、太もも上方部位を適度に締め付ける。具体的には、７０ｄウレタン糸に１４ｄナイロン糸をダブルカバーリングした糸と、５０ｄ／１７ｆウーリーナイロン糸をリッチェルリブ編みしてなり、横方向の伸びと縦方向の伸びとの比率は、１：１．３程度である。また、上記腹部中央部分１１の伸びと比較すると、横方向で１：１．１程度、縦方向で１：１．１３程度である。
【００２５】
上記太もも中間部分２２は、着用者の動きによってインナーボトムがずり上がらないように、上記腹部両側部分１２と同等の緊迫力を有する。具体的には、７０ｄウレタン糸に１４ｄナイロン糸をダブルカバーリングした糸と、５０ｄ／１７ｆウーリーナイロン糸をタックメッシュ編みしてなり、横方向の伸びと縦方向の伸びとの比率は、１：１．１８程度である。上記太もも上方部分２１の伸びと比較すると、横方向で１．１：１程度、縦方向で１：１程度であり、上記太もも上方部分２１よりも横方向の伸びがわずかに大きい。
【００２６】
上記太もも前方中央部分２３は、太もも部位にかかる過度の緊迫力を逃がしてスムーズな脚部の動きを制限せず、血行障害等を防止し、且つサポート効果を付与するに十分な弱い緊迫力を有する。具体的には、上記臀部中央部分１３と同等の緊迫力であり、７０ｄウレタン糸に１４ｄナイロン糸をダブルカバーリングした糸と、５０ｄ／１７ｆウーリーナイロン糸を平編みしてなり、横方向の伸びと縦方向の伸びとの比率は、１：１．４４程度である。また、上記太もも上方部分２１よりも上記太もも中間部分２２の方がわずかに強い緊迫力を有するので、均等に緊迫力を逃がすために太もも上方部分２１から太もも中間部分２２に伸びるにつれ幅広形状としてある。
【００２７】
上記太もも下方部分２４は、太もも中間部分２２の下部にあり、その下端部に幅広の編み込みの折り返し部分２５を備え、弱い緊迫力を有する。具体的には、２０ｄのポリウレタン繊維に７０ｄ／６８ｆのウーリーナイロン糸をカバーリングしたカーリングヤーンを平編みしてなる。
【００２８】
図３及び図４に本発明のインナーボトムの別の実施形態を示す。図３は、ダミーに着用させた状態でのインナーボトムの正面図であり、図４は同側面図である。図３及び図４において、図１及び図２に示した実施形態と同様の要素には１００番台を付した同様の符号を用いた。図１及び図２との相違は、太もも中間部分１２２を脚部前方中央部位で腹部両側部分１１２と接するまで左右から斜めに上方向に延ばし、太もも上方部分１２１を左右に分けるように構成した点にある。このような構成とすることで、インナーボトムの緊迫力の分散を太もも部位筋肉の動きに対してより適合させることができ、快適な着用感を与えることができる。
【００２９】
以上の実施形態において用いた数値及び素材は、より具体的に本発明を説明することを目的として、相対的な値を示すために用いたものであり、本発明のインナーボトムを限定するものではない。これらの数値及び素材は、例えばＬサイズ、Ｍサイズ、Ｓサイズ等のインナーボトムのサイズ、求められる体型補整の程度等によって、種々変更されてよいものである。
【００３０】
【発明の効果】
本発明のインナーボトムによれば、腹部に適度な締め付けを与え、臀部の自然な丸みを保持して、適正な体型補整を行うガードル機能を備えながら、脚の付け根部分、太もも部分等に過度の締め付けを与えず、またボトムのラインを浮き上がらせることのない、快適な着用感を付与することができる。さらに、太もも前方中央部分に設けた逃がし部分によって、太もも前部を過度に圧迫せず、スムーズな脚部の動きを可能とする。
【図面の簡単な説明】
【図１】図１は、本発明のインナーボトムの一実施形態を示す正面図である。
【図２】図２は、図１の背面図である。
【図３】図３は、本発明のインナーボトムの別の実施形態を示す正面図である。
【図４】図４は、図３の側面図である。
【符号の説明】
１１，１１１：腹部中央部分
１２，１１２：腹部両側部分
１３，１１３：臀部中央部分
１３ａ，１１３ａ：臀部中央部位
１４，１１４：臀部周囲部分
１５，１１５：股部分
２１，１２１：太もも上方部分
２２，１２２：太もも中間部分
２３，１２３：太もも前方中央部分
２４，１２４：太もも下方部分
【図１】
0003822670.tif 000002
【図２】
0003822670.tif 000003
【図３】
0003822670.tif 000004
【図４】
0003822670.tif 000005